(57)【要約】【課題】  複雑で大型となる機構を使用することなしに、横長状態と縦長状態との間の状態変更時に表示パネルを支持した筐体が載置面に衝突することが無いように、かつ、２つの状態における下端縁の位置を任意に設定できるようにすることを課題とする。【課題を解決する手段】  正面から見て長方形をした表示面１１ａを有する表示パネル１１を保持した筐体１２と、上記筐体１２を上記表示パネル１１の表示面１１ａに対して直交する向きの支持軸２１回りに回転自在に支持したスタンド２０とを備え、上記支持軸２１は、横長に配置された表示面１１ａの中心Ｏから斜め上方へほぼ４５度の角度で傾斜した線上Ｌ１に位置しているディスプレイ装置１。【選択図】図２
2007058031.tif 000002
【特許請求の範囲】
【請求項１】
正面から見て長方形をした表示面を有する表示パネルを保持した筐体と、
上記筐体を上記表示パネルの表示面に対して直交する向きの支持軸回りに回転自在に支持したスタンドとを備え、
上記支持軸は、横長に配置された表示面の中心から斜め上方へほぼ４５度の角度で傾斜した線上に位置している
ことを特徴とするディスプレイ装置。
【請求項２】
表示面が横長に配置されているときの上記筐体の下端縁と上記支持軸との間の距離と、表示面が縦長に配置されているときの上記筐体の下端縁と上記支持軸との距離とがほぼ等しい
ことを特徴とする請求項１に記載のディスプレイ装置。
【請求項３】
上記支持軸は上記スタンドに対してほぼ上下方向に傾動自在に支持されており、
上記支持軸が傾動範囲の下端に位置しているとき（このときの支持軸の位置を「通常位置」という）には上記筐体の上記支持軸に対する回転を阻止し、上記支持軸を上記通常位置から上方へ傾動したときに上記筐体の上記支持軸に対する回転を可能にするロック手段が設けられている
ことを特徴とする請求項１に記載のディスプレイ装置。
【発明の詳細な説明】
【技術分野】
【０００１】
本発明は新規なディスプレイ装置に関する。詳しくは、横方向と縦方向の寸法が異なる表示面を有する表示パネルを備えたディスプレイ装置において、表示面を横長にした横長状態と表示面を縦長にした縦長状態との間の状態の変更を容易にする技術に関する。
【背景技術】
【０００２】
パーソナルコンピュータのディスプレイ装置には長方形の正面形状を有する表示面を備えた表示部を使用目的に応じて横長状態と縦長状態とを適宜に選択して使用し得るようにしたものがある。
【０００３】
ところで、上記したディスプレイ装置において、表示部の中心に回転軸Ｏａが配置されており、使用状態を変更するために回転させた際に表示部が載置面に衝突しない高さに回転軸Ｏａを配置すると、図１に示すように、表示部筐体ＣＡＢが横長状態ａｈの時の下端縁と縦長状態ａｖの時の下端縁との間に大きな高さ位置の差Ｂが発生する。すなわち、横長状態ａｈの時の幅をＷ、高さをＨとしたとき、差Ｂは次式で表される。
【０００４】
Ｂ＝（Ｗ−Ｈ）／２
すなわち、横長状態ａｈにおいては、下端縁が縦長状態ａｖの時の下端縁より差Ｂだけ高い位置に位置することになり、違和感を生じる。
【０００５】
そこで、特許文献１には、表示部の回転に伴って回転軸が上下する上下移動機構を組み込んで、横長状態から縦長状態へと変更するべく回転させると、回転軸が上方へ移動し、縦長状態から横長状態へと変更するべく回転させると、回転軸が下方へと移動するようにしたディスプレイ装置が示されている。
【０００６】
特許文献１に示されたディスプレイ装置にあっては、縦長状態と横長状態との間の状態変更時に、表示部が載置面に接触することを避け、かつ、両状態における下端縁の高さを近づけることができる。
【０００７】
【特許文献１】特開２００４−３０２４９１号公報
【発明の開示】
【発明が解決しようとする課題】
【０００８】
ところで、上記した特許文献１に示されたディスプレイ装置にあっては、表示部の回転に伴って回転軸を上下させる機構が必要になり、機構が複雑になり、スタンドの大型化とコスト増を免れない。
【０００９】
そこで、本発明は、複雑で大型となる機構を使用することなしに、横長状態と縦長状態との間の状態変更時に表示パネルを支持した筐体が載置面に衝突することが無いように、かつ、２つの状態における下端縁の位置を任意に設定できるようにすることを課題とする。
【課題を解決するための手段】
【００１０】
本発明ディスプレイ装置は、上記した課題を解決するために、正面から見て長方形をした表示面を有する表示パネルを保持した筐体と、上記筐体を上記表示パネルの表示面に対して直交する向きの支持軸回りに回転自在に支持したスタンドとを備え、上記支持軸は、横長に配置された表示面の中心から斜め上方へほぼ４５度の角度で傾斜した線上に位置しているものである。
【００１１】
従って、本発明ディスプレイ装置にあっては、簡単な機構で、使用状態変更のための筐体の回転時に筐体が載置面に衝突することがなく、また、２つの状態における下端縁の高さを任意に設定することができる。
【発明の効果】
【００１２】
本発明ディスプレイ装置は、正面から見て長方形をした表示面を有する表示パネルを保持した筐体と、上記筐体を上記表示パネルの表示面に対して直交する向きの支持軸回りに回転自在に支持したスタンドとを備え、上記支持軸は、横長に配置された表示面の中心から斜め上方へほぼ４５度の角度で傾斜した線上に位置していることを特徴とする。
【００１３】
従って、本発明ディスプレイ装置にあっては、簡単な機構で、横長状態と縦長状態との間で使用状態を変更する際に、筐体が載置面に衝突しないようにすることができる。また、２つの状態における下端縁の高さを任意に設定することができ、２つの状態における下端縁の高さを同じ高さとすることもできる。
【００１４】
請求項２に記載した発明にあっては、表示面が横長に配置されているときの上記筐体の下端縁と上記支持軸との間の距離と、表示面が縦長に配置されているときの上記筐体の下端縁と上記支持軸との距離とがほぼ等しいので、横長状態と縦長状態とで、使用者との間の高さ感覚が余り変化しない。
【００１５】
請求項３に記載した発明にあっては、上記支持軸は上記スタンドに対してほぼ上下方向に傾動自在に支持されており、上記支持軸が傾動範囲の下端に位置しているとき（このときの支持軸の位置を「通常位置」という）には上記筐体の上記支持軸に対する回転を阻止し、上記支持軸を上記通常位置から上方へ傾動したときに上記筐体の上記支持軸に対する回転を可能にするロック手段が設けられているので、筐体の下端を載置面により近づけることが可能になり、また、通常位置では回転に対してロックがかかっているので、通常位置のままうっかり回転させて筐体を載置面に衝突させてしまう事故を防ぐことができる。
【発明を実施するための最良の形態】
【００１６】
以下に、本発明ディスプレイ装置を実施するための最良の形態を図面を参照して説明する。
【００１７】
まず、本発明ディスプレイ装置の第１の実施の形態について説明する。
【００１８】
図２は本発明ディスプレイ装置の第１の実施の形態の基本構成を示すものである。
【００１９】
ディスプレイ装置１は、表示部１０がスタンド２０に回転自在に支持されて成る。上記表示部１０は、例えば、ＬＣＤ（Liquid Crystal Display）等の表示パネル１１が表示部筐体１２に支持されて成る。なお、ここで表示パネル１１は、ＬＣＤでなくとも、平面的な表示手段であれば良く、例えば、ＰＤＰ（Plasma Display Panel）等であっても良い。このことは、後述の第２の実施の形態においても同様である。上記表示パネル１１は正面の縦横の寸法が異なる長方形状をしている。なお、図示した表示パネルの縦横比は、５：８とされている。上記表示部筐体１２は表示パネル１１より一回り大きい形状をしており、その縦横比は表示パネル１１の縦横比とほぼ同じ、５：８とされている。そして、上記表示パネル１１はその表示面１１ａが前方を向いて露出した向きで、表示部筐体１２に支持されている。なお、表示パネル１１の中心と表示部筐体１２の中心とはほぼ同じ位置に位置している。
【００２０】
上記表示部１０は支持軸２１によってスタンド２０に、上記表示面１１ａに平行な面内において回転自在に支持されている。
【００２１】
そして、表示部１０が支持軸２１によって支持される位置、すなわち、回転中心ＳＰは、横長状態１０（ｈ）、すなわち、表示面１１ａが横長に位置した状態において、表示面１１ａの中心Ｏから縦長状態１０（ｖ）、すなわち、表示面１１ａが縦長に位置した状態で下端になる方の側縁１２（ｖ）に向かって上方斜め４５度の角度で延びる線Ｌ１上に位置した点である。すなわち、図２では、横長状態１０（ｈ）から縦長状態１０（ｖ）へ変更する場合は、時計回り方向、すなわち、矢印ＣＷ方向へ回転させるので、表示面１１ａの中心Ｏから右上方斜め４５度の角度で延びる線Ｌ１にある点ＳＰで支持軸２１に支持される。なお、図２における横長状態１０（ｈ）から縦長状態１０（ｖ）へと変更するのに反時計回り方向、すなわち、矢印ＣＣＷ方向へと回転させる場合には、表示面１１ａの中心Ｏから左上方斜め４５度の角度で延びる線上に位置する点で支持軸に支持されることになる。
【００２２】
図２において、表示部筐体１２の横長状態１０（ｈ）における幅をＷ、高さをＨ、回転中心ＳＰの表示部１１ａの中心Ｏを通る水平線Ｌｈからの高さをＸとして、横長状態１０（ｈ）での下端縁１２（ｈ）と縦長状態１０（ｖ）での下端縁１２（ｖ）との高さの差Ａは、Ａ＝（（Ｗ−Ｈ）／２）−２Ｘ、で表されるので、上記Ｘを選択することでＡを任意に設定することができる。因みに、表示面１１ａの中心Ｏから回転中心ＳＰまでの距離をＤとして、Ｄを数１式で表される値に設定すれば、横長状態１０（ｈ）と縦長状態１０（ｖ）とで、下端縁１２（ｈ）、１２（ｖ）の高さを同じに、すなわち、Ａ＝０、とすることができる。
【００２３】
【数１】
2007058031.tif 000003
【００２４】
また、横長状態１０（ｈ）の表示部筐体１２の下端縁１２（ｈ）から載置面までの距離Ａ′を、図１に示す従来のディスプレイ装置おける横長状態ａｈの表示部筐体ＣＡＢの下端縁から載置面までの距離Ｂ′より短くすることができる。
【００２５】
図３乃至図６は第１の実施の形態にかかるディスプレイ装置１におけるキー操作部３０を示すものである。
【００２６】
ディスプレイ装置１に関する操作項目として、例えば、電源オンオフ操作、明るさ調整、輝度調整等がある。そして、これらの調整項目に関して、例えば、電源オンオフに関しては、電源オフの状態から当該キーを押圧することによって電源が投入され、電源オンの状態から当該キーをやや長い時間押圧し続けることによって電源がオフされ、また、明るさ調整に関しては、プラスキーを押圧することによって明るくなり、マイナスキーを押圧することによって暗くなり、さらに、輝度調整に関しては、プラスキーを押圧することによって輝度が増大し、マイナスキーを押圧することによって輝度が減少する。そして、これらの操作部には、それぞれの機能を持ったキーと、各キーの近傍に当該キーの機能を示す文字或いはアイコンが表示されている。
【００２７】
ところで、上記したように、横長状態と縦長状態との間で状態を変更して使用する場合、各操作キーの機能は変わることがないが、各操作キーの機能を示す文字或いはアイコンの向きが９０度変わるため、正しい表示とならなくなってしまう。文字の場合は、横倒しの文字となってしまい、読取不能ではないが読み取りにくくなり、また、アイコンの場合は、例えば、電源キーのアイコンは横倒し状態となり、マイナスキーのアイコン「−」は「｜」となってしまい、やはり認識しづらいという問題がある。
【００２８】
そこで、本発明ディスプレイ装置１にあっては、横長状態では図３に示すようなアイコンによる表示がなされ、縦長状態では図４に示すようなアイコンによる表示が為されるようになっている。
【００２９】
操作部３０の具体的構造は図５及び図６に示すようになっている。
【００３０】
４０は表示部筐体１２内に配置された回路基板であり、該回路基板４０の前面にはプッシュスイッチ４１、４２、４３、４４、４５が配列されている。上記プッシュスイッチ４１は電源オンオフ用スイッチ、４２は明るさ調整マイナススイッチ、４３は明るさ調整プラススイッチ、４４は輝度調整マイナススイッチ、４５は輝度調整プラススイッチである。そして、各プッシュスイッチ４１、４２、４３、４４、４５の前側にはプッシュキー部材４１ａ、４２ａ、４３ａ、４４ａ、４５ａが取り付けられており、これらプッシュキー部材４１ａ、４２ａ、４３ａ、４４ａ、４５ａは薄板状にされて撓み弾性を有する連結片４６、４６、・・・によって一体に連結されている。
【００３１】
上記回路基板４０の電源用スイッチ４１の上（この操作部３０に関する説明で特に修飾句を付さないで示す上下左右の方向は図３における方向として示す）に近接して発光ダイオード（以下、「ＬＥＤ」という）４１ｂが配置され、また、スイッチ４１の左に近接してＬＥＤ４１ｃが配置されている。また、明るさ調整用プッシュスイッチ４２と４３との間の位置にＬＥＤ４２ｂが配置され、また、該ＬＥＤ４２ｂの上方に近接してＬＥＤ４３ｂが配置されている。さらに、プッシュスイッチ４２の下方に近接してＬＥＤ４２ｃが、スイッチ４２の上方に近接してＬＥＤ４２ｄが配置されている。また、プッシュスイッチ４３の下方に近接してＬＥＤ４３ｃが、スイッチ４３の上方に近接してＬＥＤ４３ｄが配置されている。プッシュスイッチ４４と４５との間の位置にはＬＥＤ４４ｂが配置され、該ＬＥＤ４４ｂの上方に近接してＬＥＤ４５ｂが配置されている。また、スイッチ４４の下方に近接してＬＥＤ４４ｃが配置され、スイッチ４４の上方に近接してＬＥＤ４４ｄが配置されている。さらに、スイッチ４５の下方に近接してＬＥＤ４５ｃが配置され、スイッチ４５の上方に近接してＬＥＤ４５ｄが配置されている。
【００３２】
上記回路基板４０の前側に重ねて半透明、例えば、乳白色のレンズ板５０が配置される。
【００３３】
上記レンズ板５０には上記プッシュキー部材４１ａ、４２ａ、４３ａ、４４ａ、４５ａを前方へ突出させる挿通孔５１、５２、５３、５４、５５が形成されている。なお、上記挿通孔５１、５２、５３、５４、５５はスリット５６、５６、・・・によって連結されている。
【００３４】
上記挿通孔５１の上方及び左方に近接した位置の前面にそれぞれ電源オンオフスイッチを表示するアイコン形状をした表示突起５１ｂ、５１ｃが突設されている。なお、表示突起５１ｂは横長状態で正常な向きとなるように、また、表示突起５１ｃは縦長状態で正常な向きとなるように形成されている。そして、表示突起５１ｂはＬＥＤ４１ｂの前側に、また、表示突起５１ｃはＬＥＤ４１ｃの前側に位置する。
【００３５】
挿通孔５２と５３との間の位置には明るさ調整スイッチを表示するアイコン形状をした表示突起５２ｂが、また、表示突起５２ｂの上方に近接した位置には同じく明るさ調整スイッチを表示するアイコン形状をした表示突起５３ｂが前方に向けて突設されている。そして、表示突起５２ｂは縦長状態で正常な向きとなるように、また、表示突起５３ｂは横長状態で正常な向きとなるように形成されている。挿通孔５２の下方に近接してプラス形状（＋）をした表示突起５２ｃが、また、挿通孔５２の上方に近接してマイナス形状（−）をした表示突起５２ｄがそれぞれ前方へ向けて突設されている。挿通孔５３の下方に近接してマイナス形状（−）をした表示突起５３ｃが、挿通孔５３の上方に近接してプラス形状（＋）をした表示突起５３ｄがそれぞれ前方へ向けて突設されている。そして、表示突起５２ｃ、５３ｃは横長状態で正常な向きとなる形状に、また、表示突起５２ｄ、５３ｄは縦長状態で正常な向きとなる形状に形成されている。そして、表示突起５２ｂはＬＥＤ４２ｂの前側に、表示突起５２ｃはＬＥＤ４２ｃの前側に、表示突起５２ｄはＬＥＤ４２ｄの前側に、表示突起５３ｂはＬＥＤ４３ｂの前側に、表示突起５３ｃはＬＥＤ４３ｃの前側に、表示突起５３ｄはＬＥＤ４３ｄの前側に、それぞれ位置する。
【００３６】
挿通孔５４と５５との間の位置には輝度調整スイッチを表示するアイコン形状の表示突起５４ｂが、また、該表示突起５４ｂの上方に近接して輝度調整スイッチを表示するアイコン形状の表示突起５５ｂが前方へ向けて突設されている。そして、表示突起５４ｂは縦長状態で正常な向きとなるように、また、表示突起５５ｂは横長状態で正常な向きとなるように形成されている。挿通孔５４の下方に近接してプラス形状（＋）をした表示突起５４ｃが、また、挿通孔５４の上方に近接してマイナス形状（−）をした表示突起５４ｄが前方へ向けて突設されている。挿通孔５５の下方に近接してマイナス形状（−）をした表示突起５５ｃが、また、挿通孔５５の上方に近接してプラス形状（＋）をした表示突起５５ｄが前方へ向けて突設されている。そして、表示突起５４ｃ、５５ｃは横長形状で正常な向きとなる形状に形成され、また、表示突起５４ｄ、５５ｄは縦長状態で正常な向きとなる形状に形成されている。そして、表示突起５４ｂはＬＥＤ４４ｂの前側に、表示突起５４ｃはＬＥＤ４４ｃの前側に、表示突起５４ｄはＬＥＤ４４ｄの前側に、表示突起５５ｂはＬＥＤ４５ｂの前側に、表示突起５５ｃはＬＥＤ４５ｃの前側に、表示突起５５ｄはＬＥＤ４５ｄの前側に、それぞれ位置する。
【００３７】
上記レンズ板５０の前面には黒色等の光不透過性の遮光板６０が配置されている。そして、該遮光板６０には上記プッシュキー部材４１ａ、４２ａ、４３ａ、４４ａ、４５ａを前方へ挿通させるための挿通孔６１、６１、・・・及び５１ｂ、５１ｃ等の上記レンズ板５０に形成された全ての表示突起を挿通させる切り込み６２、６２、・・・が形成されている。
【００３８】
さらに、上記遮光板６０の前面側がスモーク色をした表面板７０によって覆われる。そして、表面板７０に形成された挿通孔７１、７１、・・・を挿通して上記プッシュキー部材４１ａ、４２ａ、４３ａ、４４ａ、４５ａの前端部が表面板７０から前方へ突出される。また、上記レンズ板５０に形成された５１ｂ、５１ｃ等の表示突起の前端部は上記表面板７０の背面に食い込んだ状態とされる。すなわち、表面板７０の背面には５１ｂ、５１ｃ等の表示突起の前端部を嵌入させる凹部７２、７２、・・・（１個だけ図６に示す）が形成され、５１ｂ、５１ｃ等の表示突起の前端部は上記表面板７０の凹部７２、７２、・・・に嵌入されている（図６参照）。
【００３９】
したがって、表示突起（例えば、５１ｂ）に対応したＬＥＤ（４１ｂ）が点灯すると、該ＬＥＤの光がレンズ板５０の表示突起を光輝させ、従って、該光輝している表示突起がスモーク色の表面板７０を通して前方から視認される。そして、図３に示す横長状態にあっては、ＬＥＤ４１ｂ、４２ｃ、４３ｂ、４３ｃ、４４ｃ、４５ｂ、４５ｃのみが点灯し、従って、表示突起５１ｂ、５２ｃ、５３ｂ、５３ｃ、５４ｃ、５５ｂ、５５ｃのみが前方から視認される。また、図４に示す縦長状態にあっては、ＬＥＤ４１ｃ、４２ｂ、４２ｄ、４３ｄ、４４ｂ、４４ｄ、４５ｄのみが点灯し、従って、表示突起５１ｃ、５２ｂ、５２ｄ、５３ｄ、５４ｂ、５４ｄ、５５ｄのみが前方から視認される。そして、上記したＬＥＤの点灯回路の切り替えは、例えば、表示部筐体１２内の上記回路基板４０に実装された図示しないホール素子によって横長状態か縦長状態かの検出を行い、その検出結果に基づいて行う。
【００４０】
図７乃至図１４に本発明ディスプレイ装置の第２の実施の形態を示す。
【００４１】
ディスプレイ装置１００は表示部１１０がスタンド１２０に支持されて成る。上記表示部１１０は、例えば、液晶表示パネル等の表示パネル１１１が表示部筐体１１２に支持されて成る。上記表示パネル１１１は正面形状で縦横の寸法が異なる長方形状をしている。上記表示パネル１１１はその表示面１１１ａが前方を向いて露出した向きで、表示部筐体１１２に支持されている。なお、表示パネル１１１の中心と表示部筐体１１２の中心とはほぼ同じ位置に位置している。
【００４２】
上記表示部１１０は後述する支持軸によってスタンド１２０に、上記表示面１１１ａに平行な面内において回転自在なるように支持されている。そして、表示部１１０が支持軸によって支持される位置、すなわち、回転中心は、横長状態において、表示面１１１ａの中心から縦長状態で下端になる方の側縁に向かって上方斜め４５度の角度で延びる線上に位置した点であることは第１の実施の形態におけると同様である。これによって、横長状態における下端縁の位置と縦長状態における下端縁の位置との間の高さ方向での差を小さくすることができる。
【００４３】
上記スタンド１２０は、載置面、すなわち、ディスプレイ装置１００を載置するデスク面等に安定に載置されるベース１２１の後端部から上方に行くに従って僅かに後に変位するように傾斜した立上部１２２が上方に向かって延び、該立上部１２２の上端部に軸支持部１２３が上下に傾動可能に設けられ、該軸支持部１２３からほぼ前方へ支持軸１２４が突出されている。そして、上記支持軸１２４に表示部１１０の上記した回転中心部が支持されている。上記軸支持部１２３は図１１に２点差線で示す位置と実線で示す位置との間で上下方向に傾動可能とされ、かつ、２点差線で示す位置と実線で示す位置とで適当なフリクション機構等によりクリックストップがかかるようになっている。また、上記支持軸１２４は軸支持部１２３に対してほぼ９０度の範囲で回転可能とされている。なお、軸支持部１２３が図１１に２点差線で示す位置にある状態で、表示部１１０は表示面１１１ａがやや前上方を向いた姿勢となる。
【００４４】
図１２に上記支持軸１２４周りの具体的構造を示す。軸支持部１２３はほぼ上方から見てコ字状を成し、ほぼ前方を向いた主部１２３ａと該主部１２３ａの両側縁からほぼ後方へ折り曲げられた支持片部１２３ｂ、１２３ｂとが、例えば、板金材料によって一体に形成されている。上記主部１２３ａにはほぼ筒状をした軸支部１２３ｃが軸方向を主部１２３ａの板厚方向に沿う向きで形成されている。そして、スタンド１２０の立上部１２２に上端部には左右に間隔を置いて２つの支持部材１２５、１２５が固定され、該支持部材１２５、１２５にほぼ前方へ突出するように一体に形成された支持片１２５ａ、１２５ａに上記軸支持部１２３の支持片部１２３ｂ、１２３ｂが上下方向に回動自在に支持される。なお、詳細は図示しないが、軸支持部１２３と支持部材１２５、１２５との間には軸支持部１２３の回動範囲を図１１の２点鎖線で示す位置と実線で示す位置との間に限定し、かつ、それぞれの位置でクリックストップがかかるようにする回動規制手段が設けられている。
【００４５】
上記したように、スタンド１２２に支持された軸支持部１２３の軸支部１２３ｃに支持軸１２４が９０度の回転範囲で回転が可能なように支持され、そして、該支持軸１２４が表示部１１０の上記回転中心に固定される。なお、図示は省略するが、上記軸支部１２３ｃと支持軸１２４との間には支持軸１２４の回転を９０度の範囲に限定する回転規制手段が設けられる。
【００４６】
図１３及び図１４に示すように、表示部筐体１１２の背面には上記回転中心を中心とする角度で互いの９０゜離間した位置に２つのストッパ突起１１３ｈ、１１３ｖが突設されており、横長状態で上記ストッパ突起１１３ｈがスタンド１２０の立上部１２２の右側縁１２２ｒに当接し（図１３参照）、縦長状態で上記ストッパ突起１１３ｖがスタンド１２０の立上部１２２の左側縁１２２ｌに当接する（図１４参照）ようになっている。従って、横長状態で表示部１１０を正面から見て時計回り方向（図１３の矢印ＣＷ参照）に回転させて縦長状態に変更しようとしてもストッパ突起１１３ｈがスタンド１２０の立上部１２２の右側縁１２２ｒの当接しているので、そのままでは、時計回り方向に回転させることができない。また、縦長状態で表示部１１０を正面から見て反時計回り方向（図１４の矢印ＣＣＷ参照）に回転させて横長状態に変更しようとしてもストッパ突起１１３ｖがスタンド１２０の立上部１２２の左側縁１２２ｌの当接しているので、そのままでは、反時計回り方向に回転させることができない。
【００４７】
なお、横長状態及び縦長状態のいずれの状態においても、表示部１１０の下端縁とスタンド１２０のベース１２１との間に空間１０１があり、該空間１０１に例えば、パーソナルコンピュータのキーボード１３０を収納することができ、使用しないときの載置面のスペースを節約することができる。なお、キーボード１３０を使用するときは、図１１に２点差線で示すようにスタンド１２０のベース１２１の前方へ引き出して使用すればよい。
【００４８】
図７乃至図１０に横長状態から縦長状態に状態を変更する手順を示す。
【００４９】
図７に示す状態が横長状態である。まず、表示部１１０の下端を持って前方へ引き出すように、少し力を加えてスタンド１２０の軸支持部１２３のクリックストップを外し、表示部１１０をやや上向きになるように回動させる（図８の矢印参照）。これによって、スタンド１２０の軸支持部１２３は図１１に実線で示す状態となる。この図８に示す状態では表示部１１０のストッパ突起１１３ｈがスタンド１２０の立上部１２２の右側縁１２２ｒから前方へ離れるので、表示部１１０の回転に対するロックがはずれる。そこで、表示部１１０を前方から見て時計回り方向（図９の矢印参照）へ回転させる。なお、図９は表示部１１０の角部がもっと下方に位置した状態を示す。そして、時計回り方向への回転限界に達したところで、表示部１１０の下端部を後方へ押して（図１０の矢印参照）、軸支持部１２３が図１１の２点差線で示す位置となるようにする。これで、表示部１１０は縦長状態となる（図１０参照）。この縦長状態では、図１４に示すように、表示部１１０のストッパ突起１１３ｖがスタンド１２０の立上部１２２の左側縁１２２ｌに当接し、反時計回り方向への回転が阻止された状態となる。
【００５０】
なお、縦長状態から横長状態に変更する場合は、図１０の状態から、表示部１１０の下端部を前方へ引き出すように回動させ、それから、表示部１１０を反時計回り方向に９０度回転させ、回転させ終わったところで、表示部１１０の下端部を後方へ押し込めばよい。
【００５１】
この第２の実施の形態にかかるディスプレイ装置１００に上記した第１の実施の形態にかかるディスプレイ装置１における操作部３０の機構を採用することが可能である。
【００５２】
上記ディスプレイ装置１００の表示部筐体１１２の４隅部の内部にはスピーカ１１４−１、１１４−２、１１４−３、１１４−４（図１３、図１４に破線で示す）が配置されている。そして、ステレオ音声の場合、横長状態では、スピーカ１１４−１、１１４−２から左チャンネル音声が出力され、スピーカ１１４−３、１１４−４から右チャンネル音声が出力され、縦長状態では、スピーカ１１４−２、１１４−４から左チャンネル音声が出力され、スピーカ１１４−１、１１４−３から右チャンネル音声が主力されるようになっている。
【００５３】
図１５に本発明ディスプレイ装置１００の内部回路２００のブロック図を示す。なお、図１５では本ディスプレイ装置１００をパーソナルコンピュータ（以下、「ＰＣ」という）３００の表示部として適用した例を示す。
【００５４】
そして、ディスプレイ装置１００には、図示しない放送局より受信された放送信号の映像や、接続されるＰＣ３００からの信号の映像が出力されると共に、放送信号の音声や、ＰＣ３００からの信号の音声が出力される。
【００５５】
内部回路２００にはマイクロコントローラ２０１が備えられており、該マイクロコントローラ２０１によってディスプレイ装置１００全体の制御が行われ、また、外部からの操作を受け付けたり、ＰＣ３００との間の信号の授受が行われる。
【００５６】
マイクロコントローラ２０１にはメモリ２０２が接続されている。メモリ２０２は、マスクＲＯＭ（Read Only Memory）、ＥＰＲＯＭ（Erasable Programmable ROM）、フラッシュメモリなどのＥＥＰＲＯＭ（Electrically Erasable Programmable ROM）フラッシュメモリなどにより構成され、ディスプレイ装置１００や、マイクロコントローラ２０１の処理に必要な固定のパラメータなどを記録してある。
【００５７】
また、マイクロコントローラ２０１には受光部２０３が接続されており、該受光部２０３はユーザが操作する図示しないリモートコントローラからの赤外線を受光し、受光した赤外線に対応する制御信号をマイクロコントローラ２０１に供給する。
【００５８】
さらに、マイクロコントローラ２０１は通信インターフェース２０４を介してＰＣ３００等の外部の機器との間で信号の授受を行う。
【００５９】
ディスプレイ装置１００とＰＣ３００とはＤＶＩ（Digital Visual Interface）規格に基づくＤＤＣ（Display Data Channel）バス（以下、「ＤＤＣ」と称する）１４０により接続されている。そして、上記通信インターフェース２０４は、ＰＣ３００からＤＤＣ１４０を介して送信されてくるＰＣ映像信号を受信し、該ＰＣ映像信号を所定の箇所に出力したり、ＰＣ３００からＤＤＣ１４０を介して送信されてくるＰＣ音声信号を受信し、該ＰＣ音声信号を必要箇所に出力する。また、通信インターフェース２０４は、マイクロコントローラ２０１からの画面回転情報や表示モード情報などのディスプレイ装置情報を、ＤＤＣ１４０を介してＰＣ３００に送信したり、ＰＣ３００からの制御信号などを受信してマイクロコントローラ２０１に供給する。
【００６０】
ディスプレイ装置１００の表示筐体１１２には画面回転検出器２０５が備えられている。画面回転検出器２０５は、例えば、スタンドの立上部１２２の適宜の位置に取り付けられた図示しないマグネットの磁束が通過すると出力電圧を発生するホール素子で構成されている。画面回転検出器２０５は、表示面の向きを変更するための表示部１１０の９０度の角度範囲内の回転の途中で、自身がマグネットの磁束上を通過し、出力電圧を発生することで、表示部１１０が回転されたことを検出する。そして、画面回転検出器２０５の出力電圧（検出信号）はマイクロコントローラ２０１その他各部に供給される。
【００６１】
そして、横長状態から画面回転検出器２０５からの検出信号が出力されると、マイクロコントローラ２０１は縦長状態に変更されたものと判断し、縦長状態に適応した映像信号や音声信号の処理が実行され、逆に、縦長状態から画面回転検出器２０５から検出信号が出力されると、マイクロコントローラ２０１は横長状態に変更されたものと判断し、横長状態に適応した映像信号や音声信号の処理が実行される。
【００６２】
マイクロコントローラ２０１は、画面回転検出器２０５からの画面回転信号に応じて、通信インターフェース２０４を制御して、画面が回転された旨の情報をＤＤＣ１４０を介してＰＣ３００に送信する。なお、このとき、ＰＣ３００が起動していない場合には、マイクロコントローラ２０１は画面の回転状態、すなわち、横長状態であるか縦長状態であるかをメモリ２０２に記憶させておき、ＰＣ３００が起動したときに、メモリ２０２に記憶されている画面回転状態の情報をＰＣ３００に送出する。
【００６３】
ディスプレイ装置は、ＤＤＣ１４０を介して、ＰＣ３００と映像信号（Ｒ、Ｇ、Ｂ）や音声信号、その他制御信号などを送受信する。また、ディスプレイ装置は、ディスプレイ装置の表示フォーマットや解像度などのディスプレイ装置に関する情報で構成されるディスプレイ装置情報を、ＤＤＣ１４０を介してＰＣ３００に送信する。これにより、ＰＣ３００は受信したディスプレイ装置情報に適応した映像信号をＤＤＣ１４０を介してディスプレイ装置に送信してくるので、ディスプレイ装置は、ＰＣ３００から供給されるＰＣ映像信号に対応する所定の映像を表示面上に表示することができる。
【００６４】
また、マイクロコントローラ２０１は、ユーザーの図示しないリモートコントローラなどの操作により受光部２０３を介して供給される制御信号などに応じて、ディスプレイ装置における表示モードを設定する。マイクロコントローラ２０１は、設定した表示モードに応じて映像信号切換器２１６及びステレオ音声信号切換器２３１を制御すると共に、表示モード情報を、ＤＤＣ１４０を介してＰＣ３００に送信する。
【００６５】
上記表示モードには、例えば、ディスプレイ装置において、ＴＶ映像信号の映像が表示され、ＴＶ音声信号の音声が出力されるＴＶ映像表示モード、ディスプレイ装置にＰＣ映像信号の映像が表示され、ＰＣ音声信号の音声が出力されるＰＣ映像表示モード、ディスプレイ装置において、ＰＣ映像信号の映像上に、ＴＶの映像信号の映像が子画面（又は、逆であっても良い）として表示されるＷ画面表示モードなどがある。
【００６６】
なお、図１５において制御ラインの図示を省略しているが、マイクロコントローラ２０１は、表示モードに応じて、適宜、縮小倍率部２１７−１、２１７−２、拡大倍率部２１９−１、２１９−２、信号混合部２２０なども制御する。
【００６７】
ディスプレイ装置１００は放送局からの放送信号を受領するチューナ２１１を備えている。
【００６８】
チューナ２１１は図示しないアンテナ等からのＲＦ（Radio Frequency）信号を受領し、該ＲＦ信号の中から所定の放送局の信号を選択し、そのＩＦ（Intermediate Frequency）信号をアナログのＶＩＦ／ＳＩＦ（Video Intermediate Frequency/Sound Intermediate Frequency）信号、すなわち、映像信号と音声信号の検波信号（ベースバンド信号）に復調し、復号器２１２に出力する。
【００６９】
復号器２１２は、映像信号と音声信号の検波信号のうち、映像検波信号を復号して、アナログの映像信号として映像信号フォーマット変換部２１３に出力する。また、復号器２１２は、映像信号と音声信号の検波信号のうち、音声検波信号を復号して、アナログの音声信号としてステレオ音声信号切換器２３１に供給する。
【００７０】
映像信号フォーマット変換部２１３は、復号器２１２から入力されるアナログの映像信号をデジタルの映像信号に変換して映像回転部２１４に出力する。復号器２１２からは、４８０ｉ（インターレース）のアナログＹＣ信号（輝度信号・色信号）が入力されるので、映像信号フォーマット変換部２１３は、例えば、それを１０２４×７６８ｐ（プログレッシブ）のデジタルＹＰｂＰｒ信号（輝度信号・色差信号）に変換する。
【００７１】
映像回転部２１４は、映像信号フォーマット変換部２１３から入力されるデジタルの映像信号を、一旦、フレームメモリ２１５に格納し、そのまま読み出して、読み出した、例えば、１０２４×７６８の映像信号を映像信号切換器２１６に出力する。また、映像回転部２１４は、画面回転検出器２０５からの画面回転信号が供給された場合（すなわち、表示部１１０の状態が変更された場合）、フレームメモリ２１５に格納されている映像信号を、９０度回転させて読み出し、９０度回転した７６８×１０２４（横長状態から縦長状態に変更された場合。なお、縦長状態から横長状態に変更された場合は、１０２４×７６８のままの映像信号を映像信号切換器２１６に出力する。）の映像信号を映像信号切換器２１６に出力する。フレームメモリ２１５は、映像回転部２１４が受領した映像信号、すなわち、映像回転部２１４の処理に必要な映像信号を一時的に格納する。
【００７２】
映像信号切換器２１６は、マイクロコントローラ２０１の制御のもと、映像回転部２１４から入力されるデジタルの映像信号（ＴＶ映像信号）、及び、通信インターフェース２０４を介して入力されるＰＣ３００からの映像信号（ＰＣ映像信号）の少なくとも一方を選択する。映像信号切換器２１６は、選択したＴＶ映像信号又はＰＣ映像信号を縮小倍率部２１７−１（ＴＶ映像信号の場合）又は２１７−２（ＰＣ映像信号の場合）に出力する。
【００７３】
縮小倍率部２１７−１は、表示モードがＷ画面表示モードであり、ＴＶ映像信号が子画面に表示される場合、映像信号切換器２１６から入力されるＴＶ映像信号を、画面状態（すなわち、横長状態か縦長状態か）に応じて、ディスプレイ装置において指定されている画面のサイズに縮小し、デジタルフォーマット変換部２１８に出力する。
【００７４】
例えば、横長状態の場合、１０２４×７６８の映像信号が入力されるので、縮小倍率部２１７−１は、子画面のサイズ（３２０×２４０又は６４０×４８０）に縮小して出力する。また、縦長状態の場合、７６８×１０２４の映像信号が入力されるので、子画面サイズ（２４０×３２０又は４８０×６４０）に縮小して出力する。それ以外の場合、すなわち、表示モードがＴＶ映像表示モードであったり、表示モードがＷ画面表示モードであり、ＴＶ映像信号がメイン画面に表示される場合には、縮小倍率部２１７−１は、ＴＶ映像信号をそのまま、デジタルフォーマット変換部２１８に出力する。
【００７５】
縮小倍率部２１７−２は、表示モードがＷ画面表示モードであり、ＰＣ映像信号が子画面に表示される場合、映像信号切換器２１６から入力されるＰＣ映像信号（例えば、６４０×４８０（ＶＧＡ）サイズのデジタルＲＧＢ信号）を、指定されている子画面のサイズに縮小し、拡大倍率部２１９−２に出力する。それ以外の場合、縮小倍率部２１７−２は、ＰＣ映像信号をそのまま、拡大倍率部２１９−２に出力する。
【００７６】
デジタルフォーマット変換部２１８は、縮小倍率部２１７−１からのＴＶ映像信号（デジタルＹＰｂＰｒ信号）の画質を調整し、その後、デジタルＲＧＢ信号に変換し、変換したＴＶ映像信号（デジタルＲＧＢ信号）を拡大倍率部２１９−１に出力する。
【００７７】
拡大倍率部２１９−１は、ＴＶ映像信号が子画面への表示でなく、いわゆるフルスクリーン表示される場合で、且つ、入力されたＴＶ映像信号の解像度が、表示パネル解像度（例えば、１６８０×１０５０）より低い場合に、画面の状態に応じて、入力されたＴＶ映像信号を拡大して、信号混合部２２０に出力する。また、ＴＶ映像信号が子画面に表示される場合には、拡大倍率部２１９−１は、ＴＶ映像信号をそのまま、信号混合部２２０に出力する。
【００７８】
例えば、画面状態が横長状態である場合は、１０２４×７６８の映像信号が入力されるので、拡大倍率部２１９−１は、表示パネル１１１の解像度（サイズ）（１６８０×１０５０）に拡大して出力する。また、画面状態が縦長状態である場合は、、７６８×１０２４の映像信号が入力されるので、拡大倍率部２１９−１は、表示パネル１１１の解像度（サイズ）（１０５０×１６８０）に拡大して出力する。
【００７９】
拡大倍率部２１９−２は、ＰＣ映像信号が子画面への表示でなく、いわゆるフルスクリーン表示される場合で、且つ、入力されたＰＣ映像信号（例えば、６４０×４８０（ＶＧＡ）サイズのデジタルＲＧＢ信号）の解像度が、表示パネル１１１の解像度（１６８０×１０５０）よりも低い場合、入力されたＰＣ映像信号を拡大して、信号混合部２２０に出力する。また、ＰＣ映像信号が子画面に表示される場合には、拡大倍率部２１９−２はＰＣ映像信号をそのまま信号混合部２２０に出力する。
【００８０】
信号混合部２２０は、拡大倍率部２１９−１からのＴＶ映像信号及び拡大倍率部２１９−２からのＰＣ映像信号の少なくとも一方が入力される。信号混合部２２０は、ＴＶ映像信号（１６８０×１０５０）又はＰＣ映像信号（１６８０×１０５０）のどちらかだけが入力された場合（すなわち、ＴＶ映像表示モードやＰＣ映像表示モードの場合）には、入力された映像信号をＴＴＬ（Transistor-Transistor Logic）方式の信号に変換して、デジタルフォーマット変換部２２１に出力する。
【００８１】
信号混合部２２０は、拡大倍率部２１９−１からのＴＶ映像信号及び拡大倍率部２１９−２からのＰＣ映像信号が入力された場合には、メイン画面の映像信号（１６８０×１０５０）に子画面の映像信号（３２０×２４０）を重畳（合成）して、ＴＴＬ方式の信号に変換して、デジタルフォーマット変換部２２１に出力する。
【００８２】
デジタルフォーマット変換部２２１は、信号混合部２２０から入力されるＴＴＬ方式映像信号を、ＬＶＤＳ（Low Voltage Differential Signaling）、ＴＭＤＳ（Transition Minimized Differential Signaling）又はＲＳＤＳ（登録商標）（Reduced Swing Differential Signaling Interface）等の表示パネル１１１が対応するフォーマットに変換して、変換した信号を表示パネル１１１に出力する。これにより、表示パネル１１１の表示面１１１ａにデジタルフォーマット変換部２２１からの映像信号に対応した映像が表示される。
【００８３】
ステレオ音声信号切換器２３１は、マイクロコントローラ２０１の制御のもと、復号部２１２から入力されるステレオの音声信号（ＴＶ音声信号）及び通信インターフェース２０４を介して入力されるＰＣ３００からのステレオ音声信号（ＰＣ音声信号）の少なくとも一方を選択し、選択したステレオ音声信号をステレオ前置増幅器２３２に出力する。
【００８４】
ステレオ前置増幅器２３２は、ステレオ音声信号切換器２３１から入力されたステレオ音声信号に、右、左に応じた音量調整及び音質調整（トーンコントロール、ラウドネス、及び消音など）を実行し、調整されたステレオ音声信号（左音声信号及び右音声信号）をチャンネルマトリックス切換器２３３に出力する。
【００８５】
チャンネルマトリックス切換器２３３は、ステレオ前置増幅器２３２から入力された左音声信号及び右音声信号を、対応するスピーカー１１４−１乃至１１４−４から出力されるように、音声出力増幅器２３４に出力する。
【００８６】
すなわち、チャンネルマトリックス切換器２３３は、当該状態において表示部１１０の正面に向かって左側に配置されるスピーカ１１４、１１４が対応する音声出力増幅器２３４には左音声信号が出力されるように、また、当該状態において表示部１１０の正面に向かって右側に配置されるスピーカ１１４、１１４が対応する音声出力増幅器２３４には右音声信号が出力されるように、内蔵するセレクタを切り換える。
【００８７】
音声出力増幅器２３４は、画面回転検出器２０５から供給される画面回転信号に応じて、各スピーカ１１４、１１４、・・・に出力する音声信号の増幅率を調整し、調整した増幅率で音声信号を増幅し、対応するスピーカ１１４、１１４、・・・に出力する。すなわち、横長状態と縦長状態での増幅率が予め設定されており、画面回転検出器２０５から供給される画面回転信号に応じて、増幅率を切り換えることにより、増幅率を調整する。
【００８８】
なお、上記した内部回路２００は上記第１の実施の形態にかかるディスプレイ装置１においても適用可能なものである。
【００８９】
上記した各実施の形態では、いずれも、表示パネルと表示部筐体との縦横比がほぼ等しいものを示したが、表示パネルの縦横比と表示部筐体の縦横比が異なるものであっても良い。また、表示パネルの中心と表示部筐体の中心とが一致していることは必ずしも必要ではなく、両者の中心が一致していない場合は、表示パネルの中心を基準に回転中心を設定すれば、表示面の中心の水平方向での位置が横長状態と縦長状態とで同じ位置となり、また、表示部筐体の中心を基準にして回転中心を設定すれば、横長状態と縦長状態との下端縁の位置の制御がし易い。また、表示パネル１１、１１１の縦横比は、５：８でなくとも、例えば、３：４あるいは９：１６であっても良い。
【００９０】
その他、上記した各実施の形態において示した各部の形状及び構造は、しずれも本発明を実施するに際して行う具体化のほんの一例を示したものにすぎず、これらによって、本発明の技術的範囲が限定的に解釈されることがあってはならないものである。
【図面の簡単な説明】
【００９１】
【図１】従来のディスプレイ装置の一例を横長状態と縦長状態を並記して示す概略正面図である。
【図２】本発明ディスプレイ装置の第１の実施の形態を横長状態と縦長状態を並記して示す概略正面図である。
【図３】図４乃至図６と共に本発明ディスプレイ装置における操作部を示すものであり、本図は横長状態における操作部の表示態様を示す正面図である。
【図４】縦長状態における操作部の表示態様を示す正面図である。
【図５】操作部全体を拡大して示す分解斜視図である。
【図６】要部の拡大断面図である。
【図７】図８乃至図１５と共に本発明ディスプレイ装置の第２の実施の形態を示すものであり、本図は横長状態の概略斜視図である。
【図８】表示部を回転させるために、図７の状態から表示部の下端を前方へ移動させて上向きに傾斜させた状態を示す概略斜視図である。
【図９】図８の状態から表示部を時計回り方向に回転させている途中の状態を示す概略斜視図である。
【図１０】表示部を回転させ終わってから、表示部の下端部を後方へ押し込んで縦長状態としたところを示す概略斜視図である。
【図１１】概略側面図である。
【図１２】表示部をスタンドに対して支持する支持軸部の詳細を示す拡大斜視図である。
【図１３】横長状態を示す概略背面図である。
【図１４】縦長状態を示す概略背面図である。
【図１５】内部回路を示すブロック図である。
【符号の説明】
【００９２】
１…ディスプレイ装置、１１…表示パネル、１１ａ…表示面、１２…表示部筐体（筐体）、１２（ｖ）…縦長状態時の下端縁、１２（ｈ）…横長状態時の下端縁、２０…スタンド、２１…支持軸、Ｏ…表示部の中心、Ｌ１…表示部の中心から上方斜め４５度に延びる線、１００…ディスプレイ装置、１１１…表示パネル、１１１ａ…表示面、１１２…表示部筐体、１１３ｈ…ストッパ突起（ロック手段）、１１３ｖ…ストッパ突起（ロック手段）、１２０…スタンド、１２４…支持軸
【図１】
2007058031.tif 000004
【図２】
2007058031.tif 000005
【図３】
2007058031.tif 000006
【図４】
2007058031.tif 000007
【図５】
2007058031.tif 000008
【図６】
2007058031.tif 000009
【図７】
2007058031.tif 000010
【図８】
2007058031.tif 000011
【図９】
2007058031.tif 000012
【図１０】
2007058031.tif 000013
【図１１】
2007058031.tif 000014
【図１２】
2007058031.tif 000015
【図１３】
2007058031.tif 000016
【図１４】
2007058031.tif 000017
【図１５】
2007058031.tif 000018